(57)【要約】      （修正有）【課題】分岐部において、切替ゲートを退避する空間を確保した場合であっても、安定した紙葉の搬送を行う紙葉取扱装置を提供することにある。【解決手段】紙葉を取り扱う紙葉取扱装置であって、紙葉が搬送される搬送路と、搬送路が分岐する分岐部５００と、分岐部５００において、搬送路を切替える切替ゲート５０４と、切替ゲート５０４と対向し、搬送路の搬送面７０１を形成し、可動である可動搬送ガイド５０９と、を備え、切替ゲート５０４は、可動搬送ガイド５０９を押下可能な構成とした。【選択図】図５
2011178474.tif 000002
【特許請求の範囲】
【請求項１】
紙葉を取り扱う紙葉取扱装置であって、
紙葉が搬送される搬送路と、
前記搬送路が分岐する分岐部と、
前記分岐部において、前記搬送路を切替える切替ゲートと、
前記切替ゲートと対向し、前記搬送路の搬送面を形成し、可動である可動搬送ガイドと、を備え、
前記切替ゲートは、前記可動搬送ガイドを押下可能であることを特徴とする紙葉取扱装置。
【請求項２】
請求項１に記載の紙葉取扱装置であって、
紙葉を搬送する搬送ローラを備え、
前記可動搬送ガイドを、前記搬送路の幅方向に、前記搬送ローラを挟む位置に配置することを特徴とする紙葉取扱装置。
【請求項３】
請求項１乃至２のいずれかに記載の紙葉取扱装置であって、
前記切替ゲートを前記搬送路の幅方向に複数配置し、
前記可動搬送ガイドは、前記複数の切替ゲートのうちの一部と対向し、前記搬送路の搬送面を形成する紙葉取扱装置。
【請求項４】
紙葉を取り扱う紙葉取扱装置であって、
紙葉が搬送される第一の搬送路と第二の搬送路とを分岐する分岐部と、
前記分岐部において、第一の案内面と第二の案内面とを有し、前記第一の案内面に切替えて前記第一の搬送路を形成し、前記第二の搬送路を遮断する切替える切替ゲートと、
前記切替ゲートの有する第一の案内面と対向し、前記第一の搬送路の搬送面を形成する第一の状態と、前記第一の搬送路に凹部を形成する第二の状態とを有する可動搬送ガイドと、を備えることを特徴とする紙葉取扱装置。
【請求項５】
請求項４に記載の紙葉取扱装置であって、
さらに紙葉を搬送する搬送ローラを備え、
前記可動搬送ガイドを、前記搬送路の幅方向に、前記搬送ローラを挟む位置に配置することを特徴とする紙葉取扱装置。
【請求項６】
請求項４乃至５に記載の紙葉取扱装置であって、
前記切替ゲートを前記搬送路の幅方向に複数配置し、
前記可動搬送ガイドは、前記複数の切替ゲートのうちの一部と対向し、前記搬送路の搬送面を形成する紙葉取扱装置。
【請求項７】
請求項４乃至６に記載の紙葉取扱装置であって、
前記可動搬送ガイドを前記第一の状態における第一の位置と、前記第二の状態における第二の位置とで移動させる駆動部を備え、
前記駆動部は、前記切替ゲートが前記搬送路を切替える切替え動作に伴い、前記可動搬送ガイドを前記第一の位置と第二の位置とで移動させることを特徴とする紙葉取扱装置。
【請求項８】
請求項７に記載の紙葉取扱装置であって、
前記駆動部は、前記可動搬送ガイドを前記第一の位置に保持する保持部と、前記切替ゲートとを有し、
前記可動搬送ガイドは、
前記保持部が前記可動搬送ガイドを前記第一の位置に保持する力に抗して、前記切替ゲートが前記可動搬送ガイドを押圧することにより、前記第一の位置から前記第二の位置に移動し、
前記切替ゲートが、前記可動搬送ガイドに対する押圧を解放することにより、前記保持部材の保持する力により前記第二の位置から前記第一の位置を形成するよう移動することを特徴とする紙葉取扱装置。
【発明の詳細な説明】
【技術分野】
【０００１】
本発明は、紙葉を取り扱う紙葉取扱装置にに関する。
【背景技術】
【０００２】
近年、紙葉取扱装置は、諸外国でも利用され、多様な紙葉を取り扱う機会が増えている。地域によっては、状態の悪い紙葉が多い場合もあり、紙葉の状態が悪い場合であっても、搬送ジャムを低減し、安定した紙葉の搬送が求められる。
【０００３】
従来、紙葉取扱装置において紙葉が搬送される搬送路の分岐部の構成としては、上流の搬送路から搬送されてきた紙葉の搬送先を互いに方向の異なる２方向の搬送路のいずれかに切り替えるための切り替えゲートにより搬送先を切替える構成（特許文献１）が提案されている。
【先行技術文献】
【特許文献】
【０００４】
【特許文献１】特開２００８‐１５０１７３号公報
【発明の概要】
【発明が解決しようとする課題】
【０００５】
特許文献１に記載された紙葉取扱装置の分岐部の構成においては、上流から搬送されてきた紙葉が直進方向へ搬送される場合には、切替ゲートは搬送路の搬送面よりも下部に潜り込む必要がある。このため切替ゲートに対向する搬送面の下部に、切替ゲートを退避する空間が必要となる。一方、略垂直方向へ紙葉を搬送する場合に、搬送路が切替ゲートを退避する空間を有すると、紙葉を安定して搬送するための搬送ガイドを十分に配置できなくなる。
【０００６】
本発明の目的は、切替ゲートを退避する空間を確保した場合であっても、安定した紙葉の搬送を行う紙葉取扱装置を提供することにある。
【課題を解決するための手段】
【０００７】
上記課題を達成するために、紙葉を取り扱う紙葉取扱装置であって、紙葉が搬送される搬送路と、搬送路が分岐する分岐部と、分岐部において、搬送路を切替える切替ゲートと、切替ゲートと対向し、搬送路の搬送面を形成し、可動である可動搬送ガイドと、を備え、切替ゲートは、可動搬送ガイドを押下可能である。
【発明の効果】
【０００８】
本発明によれば、紙葉を搬送する搬送路の分岐部において、安定した紙葉の搬送が可能となる。
【図面の簡単な説明】
【０００９】
【図１】現金自動取引装置１００の外観を示す斜視図である。
【図２】現金自動取引装置１００と各ユニットとの制御関係を示す制御ブロック図である。
【図３】紙幣取扱装置２００の透過側面図である。
【図４】紙幣取扱装置２００の制御関係を示す制御ブロック図である。
【図５】分岐部の切替ゲート、可動搬送ガイドを示す斜視図である
【図６】第一の実施形態の分岐部を示す側面図である。
【図７】図６の搬送ガイド、切替ゲートが形成する搬送面を示す図である。
【図８】紙葉が矢印Ｂ方向に搬送される際の第一の実施形態の分岐部を示す側面図である。
【図９】紙葉が矢印Ｃ方向に搬送される際の第一の実施形態の分岐部を示す側面図である。
【図１０】紙葉が矢印Ｅ方向から搬送される際の第一の実施形態の分岐部を示す側面図である。
【図１１】紙葉が矢印Ｆ方向から搬送される際の第一の実施形態の分岐部を示す側面図である。
【図１２】紙幣が矢印Ｃ方向に搬送される際の第二の実施形態の分岐部を示す側面図である。
【図１３】紙葉が矢印Ｂ方向に搬送される際の第二の実施形態の分岐部を示す図である。
【図１４】図５のＹ−Ｙ’における分岐部の側面図である。
【図１５】図５のＺ−Ｚ’における分岐部の側面図である。
【発明を実施するための形態】
【００１０】
本実施形態に係る紙葉取扱装置では、紙葉が搬送される搬送路と、搬送路が分岐する分岐部と、分岐部において、搬送路を切替える切替ゲートと、切替ゲートと対向し、搬送路の搬送面を形成し、可動である可動搬送ガイドとを備え、切替ゲートは、可動搬送ガイドを押下可能である。
【００１１】
切替ゲートが可動搬送ガイドを押下可能な構成とすることで、安定した紙葉の搬送が可能となる。
【００１２】
また、本実施形態に係る紙葉取扱装置では、紙葉を搬送する搬送ローラを備え、可動搬送ガイドを、搬送路の幅方向に、搬送ローラを挟む位置に配置する。
【００１３】
可動搬送ガイドを、搬送力を有する搬送ローラを挟むように配置することで、搬送ローラが紙葉を挟持する挟持面の位置と、搬送ガイドが形成する搬送面の位置とが近くなり、搬送ローラに紙葉が巻き込まれることを抑制し、適度な搬送力を得ることが可能となる。
【００１４】
また、本実施形態に係る紙葉取扱装置では、切替ゲートを搬送路の幅方向に複数配置し、可動搬送ガイドは、複数の切替ゲートのうちの一部と対向し、搬送路の搬送面を形成する。
【００１５】
搬送路の幅方向のうち、効果の大きい位置に限定して可動搬送ガイドを配置することにより、搬送路の幅方向全面に可動搬送ガイドを配置する場合よりもコスト低減が可能となる。
【００１６】
本実施形態に係る紙葉取扱装置では、紙葉が搬送される第一の搬送路と第二の搬送路とを分岐する分岐部と、分岐部において、第一の案内面と第二の案内面とを有し、第一の案内面に切替えて第一の搬送路を形成し、第二の搬送路を遮断する切替える切替ゲートと、切替ゲートの有する第一の案内面と対向し、第一の搬送路の搬送面を形成する第一の状態と、前記第一の搬送路に凹部を形成する第二の状態とを有する可動搬送ガイドとを備える。
【００１７】
上述の通り、可動搬送ガイドは、搬送される紙葉を案内する搬送面を形成する第一の状態（可動搬送ガイドが搬送面位置にある状態）と、前記切替部を退避する退避空間を形成する第二の状態（可動搬送ガイドが退避位置にある状態）とを有する。これにより、紙葉が搬送される際に、可動搬送ガイドを第一の状態とすることで、搬送面に切替部を潜り込ませる凹部が存在しなくなるため、安定した紙葉の搬送が可能となる。
【００１８】
また、本実施形態に係る紙葉取扱装置では、可動搬送ガイドを前記第一の状態における第一の位置と、前記第二の状態における第二の位置とで移動させる駆動部を備え、駆動部は、切替ゲートが搬送路を切替える切替え動作に伴い、可動搬送ガイドを第一の位置と、第二の位置とで移動させる。
【００１９】
切替ゲートの動作に伴い、可動搬送ガイドの第一の位置と第二の位置とを切替えることにより、迅速な切替動作が可能となる。
【００２０】
また、本実施形態に係る紙葉取扱装置では、駆動部は、可動搬送ガイドを第一の位置に保持する保持部材と、切替ゲートと有し、保持部材が可動搬送ガイドを第一の位置に保持する力に抗して、切替ゲートが可動搬送ガイドを押圧することにより、可動搬送ガイドは第一の位置から第二の位置に移動し、切替ゲートが可動搬送ガイドに対する押圧を解放することにより、可動搬送ガイドは保持部材の保持する力により第二の位置から第一の位置に移動する。
【００２１】
可動搬送ガイドの移動の駆動源を、切替ゲートの切替動作とすることにより、可動搬送ガイドに新たな駆動源、すなわち切替ゲートの駆動源とは別の駆動源を設ける必要がなくなるため、低コスト、装置の小型化が可能となる。
【００２２】
以下、本発明の第一の実施形態について図面を用いて説明する。
【００２３】
図１は、紙葉取扱装置の一つである紙幣取扱装置２００を実装する現金自動取引装置１００の外観を示す斜視図である。現金自動取引装置１００は、カード、紙幣、通帳等を媒体とし、利用者との間で預け入れ、支払い、振り込みなどの処理を行う。
【００２４】
現金自動取引装置１００は、カードを受付けカード情報を読み取るカード処理部及び明細票を発行する明細票発行部を備えるカード・明細票処理部１１０と、通帳を受付け記帳を行う通帳処理部１８０と、利用者に取引内容を表示する表示部及び利用者からの操作を受け付ける入力部を備える顧客操作部１２０と、紙幣を取り扱う紙幣取扱装置２００を備える。
【００２５】
図２は、現金自動取引装置１００と各ユニットとの制御関係を示す制御ブロック図である。
【００２６】
現金自動取引装置１００の本体制御部１３０は、図示しないＣＰＵとメモリを有し、カード・明細票処理部１１０、通帳処理部１８０、顧客操作部１２０、紙幣取扱装置２００のそれぞれの制御部に制御指令を送ると共に、各ユニットの制御部から各種情報を収集し、現金自動取引装置１００全体の制御を行う。
【００２７】
また、図１には示していないが、現金自動取引装置１００は、外部の電子機器と情報の送受信を行う外部インターフェース部１４０、保守時に係員による操作を受付ける係員操作部１５０、本体制御部１３０が処理するデータを格納する外部記憶部１６０、各装置に電力を供給する電源部１７０を備える。なお、係員操作部１５０は、顧客操作部１２０と兼用としてもよい。
【００２８】
続いて、図３を用いて紙幣取扱装置２００の詳細について説明する。
【００２９】
図３は、紙幣取扱装置２００の透過側面図である。図３において、図の右側が現金自動取引装置１００の正面側にあたり、図の左側が後方側にあたる。紙幣取扱装置２００は、紙幣取扱装置２００の上側のユニットである上部紙幣機構２０２と、下側のユニットである下部紙幣機構２０４とを備える。
【００３０】
上部紙幣機構２０２は、閉状態のシャッタ２１２を開状態にすることにより、入金・振り込み時に利用者から紙幣を投入され、出金時に利用者により紙幣を取り出される紙葉入出金部２１０と、紙幣の真偽、額面の判別を行う紙幣判別部２２０と、取引成立までの間入金された紙幣を一時的に収納する一時収納庫２３０と、後述する下部紙幣機構２０４の紙幣収納庫３１１−３１４へ紙幣を装填し、下部紙幣機構２０４の紙幣収納庫３１１−３１４からの紙幣を回収する装填回収庫２４０と、紙幣が搬送される搬送路２５１−２５７とを備える。
【００３１】
また、上部紙幣機構２０２は、図３に示すように、入出金部２１０を上部紙幣機構２０２の正面前部に配置し、入出金部２１０の後方に一時収納庫２３０を配置し、一時収納庫２３０の後方に紙幣判別部２２０を配置し、紙幣判別部２２０の後方に装填回収庫２４０を配置する。
【００３２】
下部紙幣機構２０４は、入金された紙幣、出金される紙幣を金種別に保管する紙幣収納庫３１１−３１４と、入金されたが出金に適さない破れた紙幣や汚れた紙幣、還流させない五千円券、二千円券などを収納するリジェクト庫３１０と、紙幣が搬送される搬送路２７０−２７５とを備える。なお、紙幣取扱装置２００は、紙幣判別部２２０により判別された紙幣の額面及び紙幣の破損の度合いに基づき、紙幣をリジェクト庫３１０に収納するか、紙幣収納庫３１１−３１４に収納するかを判断する。
【００３３】
また、下部紙幣機構２０４は、金庫３００内に配置されている。金庫３００は、上部紙幣機構２０２と下部紙幣機構２０４とを接続する連結部３０４を配置する開口部３０２を、金庫３００の筐体上面に有する。連結部３０４は、下部紙幣機構２０４と上部紙幣機構２０２との間で紙幣を搬送する搬送路２６０を備える。
【００３４】
続いて、搬送路、及び搬送路の分岐部に配置される切替ゲートについて説明する。なお、分岐部とは、一の搬送路が分岐して異なる搬送路を形成する部分、言い換えると、異なる搬送路が合流して一の搬送路を形成する部分を指す。
上部紙幣機構２０２の搬送路２５１と搬送路２５２は、入出金部２１０と紙幣判別部２２０とを接続する。上部紙幣機構２０２は、搬送路２５１と搬送路２５２の間に切替ゲート２８１を配置し、切替ゲート２８１は、搬送路２５２と搬送路２６０とにより形成される搬送路と、搬送路２５１と搬送路２５２とにより形成される搬送路とを切替える。上部紙幣機構２０２の搬送路２５３、搬送路２５４、搬送路２５６は、紙幣判別部２２０と一時収納庫２３０とを接続する。上部紙幣機構２０２は、搬送路２５３と搬送路２５４との間に切替ゲート２８２を配置し、切替ゲート２８２は、搬送路２５３と搬送路２５７とにより形成される搬送路と、搬送路２５３と搬送路２５４とにより形成される搬送路とを切替える。上部紙幣機構２０２は、搬送路２５４と搬送路２５５との間に切替ゲート２８３を配置し、切替ゲート２８３は、搬送路２５４と搬送路２５５とにより形成される搬送路と、搬送路２５４と搬送路２５６とにより形成される搬送路とを切替える。
【００３５】
下部紙幣機構２０４は、搬送路２７０の途中に切替ゲート２９１−２９５を配置し、切替ゲート２９１−２９５は、搬送路２７０により形成される搬送路と、紙幣収納庫３１１−３１４、リジェクト庫３１０に紙幣を搬送する搬送路２７１−２７５とをそれぞれ切替える。
【００３６】
なお、少なくとも搬送路２５２−２５７、２６０、２７０−２７５は、紙幣が双方向に搬送可能な双方向搬送路である。
【００３７】
図４は、紙幣取扱装置２００の制御関係を示す制御ブロック図である。図４を用いて本実施形態における紙幣取扱装置２００の制御関係を説明する。
【００３８】
紙幣取扱装置２００は、紙幣取扱装置２００全体の制御を行う制御部３３０を備える。図示しないＣＰＵとメモリを有する制御部３３０は、本体制御部１３０に接続され、本体制御部１３０からの指示を受けて、前述した入出金部２１０、紙幣判別部２２０、一時収納庫２３０、各搬送路２５１−２５７、２６０、２７０−２７５、各切替ゲート２８１−２８３、２９１−２９５、各紙幣収納庫３１１−３１４、リジェクト庫３１０の動作を制御する。
【００３９】
次に紙幣取扱装置２００の主な処理について、図３に基づき説明する。
【００４０】
最初に、利用者からの紙幣の入金を受付ける入金取引処理について説明する。利用者により、入出金部２１０に紙幣が投入されると、制御部３３０は、入出金部２１０に紙幣を一枚ずつ繰り出させ、搬送路２５１、２５２、紙幣判別部２２０、搬送路２５３、切替ゲート２８２、搬送路２５４を介して、切替ゲート２８３まで紙幣を搬送させる。この際、制御部３３０は、紙幣判別部２２０に実装されるセンサ等によって紙幣の真偽、額面、正損状態を判別し、判別した結果を本体制御部１３０に送る。また、制御部３３０は、紙幣判別部２２０による判別結果に基づいて、切替ゲート２８３に搬送された紙幣を搬送路２５６又は搬送路２５５に搬送されるように振り分ける。なお、制御部３３０は、搬送路２５４に紙幣を搬送するように切替ゲート２８２を切替えている。
【００４１】
制御部３３０は、紙幣を受け入れ可能と判断した場合、切替ゲート２８３を、搬送路２５６に紙幣を搬送するように切替え、搬送路２５６を介して紙幣を一時収納庫２３０に搬送させる。一方、制御部３３０は、紙幣を判別不能と判断した場合、搬送路２５５を介して紙幣を入出金部２１０に搬送させる。
【００４２】
本体制御部１３０は、制御部３３０から送られた情報に基づき、入金された紙幣の総額を顧客操作部１２０に表示させる。本体制御部１３０が顧客操作部１２０を通じて利用者から入金取引の確定の情報を受けると、制御部３３０は、本体制御部１３０から指示を受け、一時収納庫２３０に一旦収納された紙幣を、搬送路２５６、切替ゲート２８３、搬送路２５４、切替ゲート２８２、搬送路２５３、紙幣判別部２２０、搬送路２５２、切替ゲート２８１、搬送路２６０を介して下部紙幣機構２０４に紙幣を搬送させる。この際、制御部３３０は、搬送路２５６から搬送路２５４に紙幣を搬送するように切替ゲート２８３を切り替え、搬送路２５４から搬送路２５３に紙幣を搬送するように切替ゲート２８２を切り替え、搬送路２５２から搬送路２６０に紙幣を搬送するように切替ゲート２８１を切り替えている。
【００４３】
制御部３３０は、下部紙幣機構２０４に搬送されてきた紙幣を搬送路２７０、切替ゲート２９１−２９５、搬送路２７１−２７５を介して、紙幣収納庫３１１−３１４又はリジェクト庫３１０に、下部紙幣機構２０４に搬送された紙幣を収納させる。この際、制御部３３０は、判別結果に基づいて、搬送路２７０から搬送路２７１−２７５に紙幣を搬送するように切替ゲート２９１−２９５を切り替え、搬送路２７１−２７５のいずれかに搬送された紙幣を、対応する紙幣収納庫３１１−３１４に搬送する。
【００４４】
次に、利用者に紙幣を出金する出金取引処理について説明する。現金自動取引装置１００は、利用者から所定の額の出金の指示を受けると、本体制御部１３０が制御部３３０に対し、紙幣を入出金部２１０へ搬送するように指示を出す。制御部３３０は、紙幣収納庫３１１−３１４に対し一枚ずつ所定枚数分の紙幣を繰り出させ、搬送路２７１−２７５、切替ゲート２９１−２９５、搬送路２７０、搬送路２６０、切替ゲート２８１、搬送路２５２、紙幣判別部２２０、搬送路２５３を介して、切替ゲート２８２まで紙幣を搬送させる。この際、制御部３３０は、紙幣判別部２２０に、搬送される紙幣の真偽、額面、正損状態を判別させる。制御部３３０は、紙幣判別部２２０による判別結果に基づいて、切替ゲート２８２に搬送された紙幣を搬送路２５４又は搬送路２５７に搬送されるように振り分ける。なお、制御部３３０は、搬送路２５２に紙幣を搬送するように切替ゲート２８１を切替えている。
【００４５】
制御部３３０は、判別の結果、紙幣を出金可能と判断した場合、切替ゲート２８２、搬送路２５４、切替ゲート２８３、搬送路２５５を介して入出金部２１０まで紙幣を搬送させる。この際、制御部３３０は、搬送路２５４に紙幣を搬送するように切替ゲート２８２を切替え、搬送路２５５に紙幣を搬送するように切替ゲート２８３を切替える。
【００４６】
一方、制御部３３０は、紙幣を出金不可と判断した場合は、切替ゲート２８２、搬送路２５７を介して装填回収庫２４０まで紙幣を搬送させる。この際、制御部３３０は、搬送路２５７に紙幣を搬送するように切替ゲート２８２を切替える。
【００４７】
入出金部２１０又は装填回収庫２４０への紙幣の搬送動作が終了すると、本体制御部１３０は、シャッタ２１２を開状態にさせ、利用者が紙幣を取ることができるようにする。これにより出金取引処理を終了する。
【００４８】
図５は、搬送路が分岐する分岐部の切替ゲート、可動搬送ガイドを示す斜視図であり、切替ゲート５０４は、図３で示した切替ゲート２８１−２８３、２９１−２９５、を拡大したものである。
【００４９】
図６は、図５のＸ−Ｘ’における分岐部５００の側面図である。
【００５０】
図７は、図６の搬送ガイド、切替ゲートが形成する搬送面を示す図である。図５、６、７を用いて本実施形態の分岐部の詳細について説明する。
【００５１】
分岐部５００は、搬送路５３０を構成する一対の搬送ガイド５０１（図５では省略）、５０２と、搬送路５３１を構成する一対の搬送ガイド５０５、５０６（図５では省略）と、搬送路５３２を構成する一対の搬送ガイド５０７、５０８と、搬送路５３０及び搬送路５３１により形成される搬送路（第一の搬送路ともいう）と搬送路５３０及び搬送路５３２により形成される搬送路（第二の搬送路ともいう）とを切り替える切替ゲート５０４、搬送路５３１の切替ゲート５０４に対向し、搬送路５３１を形成する可動搬送ガイド５０９（第一のガイドともいう）と、紙幣を搬送するための搬送力を与える搬送ローラ５１３、搬送ベルト５１５と、を備え、搬送ガイド５０２と搬送ガイド５０５を同一部材で形成している。なお、搬送ベルト５１５はなくともよい。
【００５２】
図５、図６は、切替ゲート５０４が、搬送路５３０、５３１により形成される第一の搬送路と、搬送路５３０、５３２により形成される第二の搬送路のうち、搬送路５３０、５３１により形成される第一の搬送路を選択、切替えた場合の図である。
【００５３】
切替ゲート５０４は、紙幣を案内する第一の案内面５０４１と第二の案内面５０４２を、単一の切替ゲート５０４の異なる面に配置し、それぞれの案内面が異なる搬送路を形成する。切替ゲート５０４は、図５に示す駆動源５１７から動力を得て切替動作を行う。
【００５４】
切替ゲート５０４の第一の案内面５０４１は、搬送ガイド５０１、５０６と共に搬送面７０４を形成し（図７に記載）、可動搬送ガイド５０９のガイド面５０９１は、搬送ガイド５０２、５０５、５１８と共に搬送面７０１を形成し（図７に記載）、これらの搬送面が、第一の搬送路５３０、５３１を形成する。この際、切替ゲート５０４は、搬送路５３０、５３２から形成される第二の搬送路を遮断する。また、切替ゲート５０４、可動搬送ガイド５０９が後述する図９の状態になることで、切替ゲート５０４の第二の案内面５０４２は、搬送ガイド５０２、５０７と共に搬送面７０２を形成し（図７に記載）、搬送ガイド５０１、５０８により形成される搬送面７０３と共に第二の搬送路５３０、５３２を形成する（図７に記載）。この際、切替ゲート５０４は、搬送路５３０、５３１から形成される第一の搬送路を遮断する。ここで遮断とは、物理的に搬送路を完全に閉じることに限らず、隙間等があったとしても、紙幣が遮断された搬送路を搬送経路として利用しないことを意味する。
【００５５】
図５に示す分岐部について、図１４、図１５を用いて更に詳細に説明する。
【００５６】
図１４は、図５のＹ−Ｙ’における分岐部の側面図を示す。図５のＹ−Ｙ’の位置では、分岐部５００は、切替ゲート５０４を有するが、切替ゲート５０４に対向する部分には、搬送ガイド５１８又は可動搬送ガイド５０９ではなく、切替ゲート５０４を退避可能な空間５３５を有している。搬送ガイド５１８を有さないため、切替ゲート５０４が搬送路５３０、５３２により形成される第二の搬送路を選択する際に、切替ゲート５０４が退避することが可能となる。また、この空間５３５にも図６同様に、可動搬送ガイド５０９を設けても良いが、本実施形態では、可動搬送ガイド５０９を設置する箇所を制限し、コスト低減を可能とする。
【００５７】
続いて、図５のＺ−Ｚ’における分岐部の側面図を図１５に示す。図５のＺ−Ｚ’の位置では、分岐部５００は、切替ゲート５０４は有さず、搬送ガイド５１８を有し、ガイド面５０９１、搬送ガイド５０２、５０５と共に搬送面７０１を形成する。
【００５８】
図５、６、１４、１５に示したように、切替ゲート５０４は、搬送路５３０−５３２の幅方向の全幅に渡るように形成している。ここで、搬送路５３０−５３２の幅方向とは、矢印Ｗで示す方向であり、紙幣５０３が搬送される搬送面と同一面であって、紙幣の搬送される方向と垂直の方向を表す。
【００５９】
切替ゲート５０４は、紙幣５０３の進路を遮る位置に配置しているため、搬送路５３０−５３２の幅方向に広く配置されることで、切替ゲート５０４が紙幣に与える負荷を一部に集中しないようにすること、又は均等にすることが可能となり、分岐部５００における紙幣５０３の搬送を安定したものとする。
【００６０】
一方、可動搬送ガイド５０９は、搬送路５３０−５３２の幅方向に、搬送ローラ５１３又は搬送ベルト５１５を挟むように搬送路５３０−５３２の幅方向の一部に設けている。
【００６１】
搬送ローラ５１３又は搬送ベルト５１５は、紙幣を挟持するため、その周囲は他の場所よりも可動搬送ガイド５０９を設けることによる搬送性能の向上の効果が大きいためである。また、本実施形態では、切替ゲート５０４が可動搬送ガイド５０９を押圧し、移動させる。このため可動搬送ガイド５０９を搬送路５３０−５３２の幅方向の一部である搬送ローラ５１３、搬送ベルト５１５を挟む位置にのみ設けることにより、切替ゲート５０４へが可動搬送ガイド５０９を押圧する際の負荷を低減し、切替ゲート５０４の切替え速度の低下を抑制することが可能である。
【００６２】
後述する図８、１０のように搬送路５３０、５３１において紙幣が搬送される場合には、可動搬送ガイド５０９の紙幣の案内面５０９１は、搬送ガイド５０２、５０５、５１８と共に搬送面７０１を形成する。なお、可動搬送ガイド５０９を備えない切替ゲート５０４と対向する部分は、前述したように搬送面７０１に対し凹構造（空間５３５）を有している。
【００６３】
後述する図９、１１のように搬送路５３０、５３２において紙幣が搬送される場合には、切替ゲート５０４は、可動搬送ガイド５０９及び前述の凹構造に退避し、潜り込み、切替ゲート５０４の案内面５０４２が、搬送ガイド５０２、５０７と共に搬送面７０２を形成する。
【００６４】
続いて、上述の切替ゲート５０４、可動搬送ガイド５０９の動作に特に関わる部分について、図６を用いて説明する。
【００６５】
可動搬送ガイド５０９は、バネ５１０により矢印Ｐ方向に付勢されており、紙幣が搬送されることにより生じる荷重では押し戻されない状態となっている。すなわち、バネ５１０は、可動搬送ガイド５０９を搬送面７０１を形成する位置に保持する保持部としての役割を果たす。また、可動搬送ガイド５０９は、矢印Ｐ方向の回転限度を決める上側ストッパ５１１により、上側ストッパ５１１が、搬送ガイド５０２の形成する搬送面の裏面に当接することにより、矢印Ｐ方向の回転が規制される。搬送ガイド５０５は、Ｑ方向の回転限度を決める下側ストッパ５１２を備え、下側ストッパ５１２が、可動搬送ガイド５０９のの裏側に当接することにより（図９）、可動搬送ガイド５０９が矢印Ｑ方向に回転するのを規制する。
【００６６】
バネ５１０によりＰ方向に付勢されていた可動搬送ガイド５０９は、切替ゲート５０４の押圧により、矢印Ｑ方向に回転し、搬送路５３１の搬送面７０１から離れる方向に退避する。すなわち、可動搬送ガイド５０９は、搬送される紙幣を案内する搬送面７０１を形成する第一の状態と、切替ゲート５０４を退避するための退避空間(第一の搬送路に凹部)を形成する第二の状態とを有する。
【００６７】
すなわち、可動搬送ガイド５０９は、第一の状態における第一の位置と第二の状態における第二の位置とで可動である。さらに言い換えるならば、切替ゲート５０４は、可動搬送ガイド５０９を押下可能な構成を有する。
【００６８】
続いて、分岐部５００において紙幣が搬送される場合の動作の詳細について説明する。
【００６９】
図８は、図５のＸ−Ｘ’断面等の可動搬送ガイド５０９を有する分岐部５００において、切替ゲート５０４が搬送路５３０と搬送路５３１とにより形成される第一の搬送路を選択、切替えし、搬送路５３０から搬送路５３１に紙幣が搬送される状態を示す。
【００７０】
切替ゲート５０４は、上流側の搬送路５３０から搬送される紙幣５０３を、下流側の搬送路５３１へ振り分ける。この際、切替ゲート５０４は、図８の矢印Ｒ方向に回転移動することにより、可動搬送ガイド５０９と干渉又は当接を回避した状態となる。一方、可動搬送ガイド５０９は、バネ５１０により矢印Ｐ方向に付勢され、上側ストッパ５１１が搬送ガイド５０２の裏面に当接した状態となる。可動搬送ガイド５０９と干渉又は当接を回避した切替ゲート５０４の案内面５０４１と、搬送ガイド５０２の裏面に当接した状態となった可動搬送ガイド５０９の案内面５０９１とが、第一の搬送路を形成する。
【００７１】
紙幣５０３は、可動搬送ガイド５０９の案内面５０９１を含む搬送面７０１と、切替ゲート５０４の案内面５０４１を含む搬送面７０４、とにより形成される第一の搬送路の搬送面と擦れながら、搬送される方向を矢印Ａから矢印Ｂの方向に変えていくこととなる。なお、バネ５１０は、紙幣の搬送する荷重では押し戻されない程度の荷重にて付勢することにより、可動搬送ガイド５０９が搬送ガイドとしての役割を果たしている。
【００７２】
このように、可動搬送ガイド５０９を有することにより、第一の搬送路を介して切替ゲート５０４の案内面５０４１に対向する面にも、紙幣の搬送を案内する案内面５０９１により搬送面７０１を形成することが可能となる。これにより、紙幣の逸脱する余地を与えないように紙幣の進路を強制し、下流側の搬送路５３１を形成する搬送ガイド５０５において紙幣が衝突や引っかかることを防止し、分岐部５００における紙幣の搬送ジャムを抑制することができる。
【００７３】
特に、可動搬送ガイド５０９を、紙幣５０３に搬送力を与える搬送ローラ５１３又は搬送ベルト５１５の周囲に設けることで、搬送ローラ５１３又は搬送ベルト５１５に紙幣が挟まることを防止し、分岐部５００における搬送ジャムを、より効果的に抑制することができる。、
なお、本実施形態とは異なり可動搬送ガイド５０９を有さず、切替ゲート５０４を退避する空間のみを有する場合は、紙幣等に搬送力を与える搬送ローラ若しくは搬送ベルトの形成する面、及び切替ゲート５０４と対向しない位置にある搬送ガイド５０２、５０５の形成する搬送面７０１と、切替ゲート５０４を退避する退避空間の底面との距離が広がり、曲がった紙幣等が搬送ガイド５０５に衝突し易くなり、また、衝突する際の衝突角が可動搬送ガイドを有するときよりも急な角度となり、安定した紙幣搬送の妨げとなる。
【００７４】
図９は、図５のＸ−Ｘ’断面等の可動搬送ガイド５０９を有する分岐部５００において、切替ゲート５０４が搬送路５３０と搬送路５３２とにより形成される搬送路を選択、切替えし、搬送路５３０から搬送路５３２に紙幣が搬送される状態を示す。
【００７５】
切替ゲート５０４は、上流側の搬送路５３０から搬送される紙幣５０３を、下流側の搬送路５３２へ振り分ける。この際、駆動源５１７は、切替ゲート５０４を図９の矢印Ｓ方向に回転、移動し、回転、移動された切替ゲート５０４は、可動搬送ガイド５０９と干渉、当接し、可動搬送ガイド５０９を押圧する。バネ５１０によりＰ方向に付勢され、図６の状態を保持していた可動搬送ガイド５０９は、切替ゲート５０４の押圧により、矢印Ｑ方向に回転し、図７の搬送面７０１から離れる方向に退避する。可動搬送ガイド５０９が退避することにより、切替ゲート５０４を退避する空間である退避空間が形成される。形成された退避空間に切替ゲート５０４を退避することにより、切替ゲート５０４の案内面５０４２と、搬送ガイド５０１、５０８とが第二の搬送路を形成する。
【００７６】
紙幣５０３は、切替ゲート５０４の案内面５０４２を含む搬送面７０２と、搬送ガイド５０８を含む搬送面７０３とにより形成される第二の搬送路の搬送面と擦れながら、搬送される方向を矢印Ａから矢印Ｃの方向に変えていくこととなる。
【００７７】
このように、可動搬送ガイド５０９が退避することにより、切替ゲート５０４が突出することなく、第二の搬送路の搬送面７０２を形成し、紙幣の進路を強制し、分岐部５００における紙幣の搬送ジャムを防止することが可能となる。
【００７８】
なお、本実施形態とは異なり可動搬送ガイド５０９を有さず、切替ゲート５０４を退避する空間を有さない場合は、切替ゲート５０４が搬送面７０２から突出し紙幣搬送の障害となり、安定した紙幣搬送の妨げとなる。
【００７９】
また、図８、図９で説明したように、本実施形態では、切替ゲート５０４が紙幣を異なる搬送路に振り分けるのであって、可動搬送ガイド５０９は、搬送先を振り分けるためには利用しない。
【００８０】
続いて、図８、図９の分岐部が双方向に搬送可能な双方向搬送路であった場合について説明する。
【００８１】
図１０は、図８と逆方向に紙幣が搬送される場合を示し、図１１は、図９と逆方向に紙幣が搬送される場合を示した図である。
【００８２】
図１０は、分岐部５００において、切替ゲート５０４が搬送路５３０と搬送路５３１とにより形成される搬送路を選択、切替えし、搬送路５３１から搬送路５３０に紙幣が搬送される状態を示す。
【００８３】
切替ゲート５０４は、上流側の搬送路５３１から搬送される紙幣５０３を、下流側の搬送路５３０へ案内する。この際、駆動源５１７は、切替ゲート５０４を図８の矢印Ｒ方向に回転移動し、回転移動された切替ゲート５０４は、可動搬送ガイド５０９と干渉、当接を回避した状態となる。一方、可動搬送ガイド５０９は、バネ５１０により矢印Ｐ方向に付勢され、上側ストッパ５１１が搬送ガイド５０２の裏面に当接した状態で保持される。可動搬送ガイド５０９と干渉、当接を回避した切替ゲート５０４の案内面５０４１と、搬送ガイド５０２の裏面に当接した状態となった可動搬送ガイド５０９の案内面５０９１とが、第一の搬送路を形成する。
【００８４】
紙幣５０３は、切替ゲート５０４の案内面５０４１を含む搬送面７０４と、可動搬送ガイド５０９の案内面５０９１を含む搬送面７０１により形成される第一の搬送路の搬送面と擦れながら、搬送される方向を矢印Ｅから矢印Ｄの方向に変えていくこととなる。なお、ばね５１０は、紙葉の搬送する荷重では押し戻されない程度の荷重にて付勢することにより、可動搬送ガイド５０９が搬送ガイドとしての役割を果たしている。
【００８５】
このように、可動搬送ガイド５０９を有することにより、第一の搬送路を介して切替ゲート５０４の案内面５０４１に対向する面にも、紙幣の搬送を案内する案内面５０９１により搬送面７０１を形成することが可能となる。これにより、紙幣の逸脱する余地を与えないように紙幣の進路を強制し、下流側の搬送路５３１を形成するガイド５０５において紙幣が衝突や引っかかることを防止し、分岐部５００における紙幣の搬送ジャムを抑制することができる。
【００８６】
特に、可動搬送ガイド５０９を、紙幣５０３に搬送力を与える搬送ローラ５１３又は搬送ベルト５１５の周囲に設けることで、搬送ローラ５１３又は搬送ベルト５１５に紙幣が挟まることを防止し、分岐部５００における搬送ジャムを、より効果的に抑制することができる。
【００８７】
なお、本実施形態とは異なり可動搬送ガイド５０９を有さず、切替ゲート５０４を退避する空間のみを有する場合は、紙幣等に搬送力を与える搬送ローラ又は搬送ベルトとの形成する面と、切替ゲート５０４を退避する空間を形成する面との間が広がり、曲がった紙幣等が搬送ガイド５０２に衝突し易くなり、安定した紙幣搬送の妨げとなる。
【００８８】
図１１は、分岐部５００において、切替ゲート５０４が搬送路５３０と搬送路５３２とにより形成される第二の搬送路を選択、切替えし、搬送路５３２から搬送路５３０に紙幣が搬送される状態を示す。
【００８９】
切替ゲート５０４は、上流側の搬送路５３２から搬送される紙幣５０３を、下流側の搬送路５３０へ案内する。この際、駆動源５１７は、切替ゲート５０４を図８の矢印Ｓ方向に回転、移動し、回転、移動された切替ゲート５０４は、可動搬送ガイド５０９と干渉、当接し、可動搬送ガイド５０９を押圧する。バネ５１０によりＰ方向に付勢され、状態を保持していた可動搬送ガイド５０９は、切替ゲート５０４の押圧により、矢印Ｑ方向に回転し、図７の搬送面７０１から離間する方向に退避する。可動搬送ガイド５０９が退避することにより、切替ゲート５０４を退避する空間である退避空間が形成される。形成された退避空間に切替ゲート５０４を退避することにより、切替ゲート５０４の案内面５０４２と、搬送ガイド５０１、５０８とが、第二の搬送路を形成する。
【００９０】
紙幣５０３は、切替ゲート５０４の案内面５０４２を含む搬送面７０２と、搬送ガイド５０１、５０８を含む搬送面７０３とにより形成される第二の搬送路の搬送面と擦れながら、搬送される方向を矢印Ｆから矢印Ｄの方向に変えていくこととなる。
【００９１】
このように、可動搬送ガイド５０９が退避することにより、切替ゲート５０４が突出することなく、第二の搬送路の搬送面を形成し、紙幣の進路を強制し、分岐部５００における紙幣の搬送ジャムを送防止することが可能となる。
【００９２】
なお、本実施形態と異なり、可動搬送ガイド５０９を有さず、切替ゲート５０４を退避する空間を有さない場合は、切替ゲート５０４が紙幣搬送の障害となり、安定した紙幣搬送の妨げとなる
図１２、１３を用いて、切替ゲート５０４が切替える搬送路５３０及び搬送路５３１により形成される第一の搬送路と搬送路５３０及び搬送路５３２により形成される第二の搬送路とのいずれにも可動搬送ガイド５０４、１００２を設けた第二の実施形態について説明する。
【００９３】
分岐部５００は、搬送路５３０を構成する一対の搬送ガイド５０１、５０２と、搬送路５３１を構成する一対の搬送ガイド５０５、５０６と、搬送路５３２を構成する一対の搬送ガイド５０７、５０８と、搬送路５３０及び搬送路５３１により形成される第一の搬送路と搬送路５３０及び搬送路５３２により形成される第二の搬送路とを切り替える切替ゲート５０４、切替ゲート５０４の一の面５０４１に対向し、搬送路５３１を形成する可動搬送ガイド５０９と、切替ゲート５０４の他の面５０４２に対向し、第二の搬送路を形成する可動搬送ガイド１００２と、紙幣を搬送するための搬送ローラ５１３、搬送ベルト５１５と、を備える。なお、第二の実施形態においては、搬送ガイド５０２と搬送ガイド５０５は一部品で構成している。
【００９４】
図１２に示すように、可動搬送ガイド１００２は、バネ１００３により矢印Ｕ方向に付勢されており、紙幣が搬送されることにより生じる荷重では押し戻されない状態となっている。すなわち、バネ１００３は、可動搬送ガイド１００２を搬送面７０３を形成する位置に保持する保持部としての役割を果たす。また、可動搬送ガイド１００２は、矢印Ｕ方向の回転限度を決める上側ストッパ１００４を備え、上側ストッパ１００４が、搬送ガイド５０１の形成する搬送路５３０の裏面に当接することにより、矢印Ｕ方向の回転が規制される。
【００９５】
第二の搬送路において紙幣が搬送される場合には、可動搬送ガイド１００２の紙幣の案内面１００２１は、搬送ガイド５０１、５０８と共に搬送面７０３を形成する。なお、切替ゲート５０４と対向し、可動搬送ガイド１００２を備えない搬送ガイド５０１、５０８の部分は、空間５３５と同様に、搬送面７０４に対し凹構造を有しており、切替ゲートを退避することが可能となっている。
【００９６】
図１３に示すように、搬送ガイド５０１は、Ｔ方向の回転限度を決める下側ストッパ１００５を備え、可動搬送ガイド１００２の上側ストッパ１００４が、下側ストッパ１００５に当接することにより、可動搬送ガイド１００２が矢印Ｔ方向に回転するのを規制する。バネ１００３によりＵ方向に付勢されていた可動搬送ガイド１００２は、切替ゲート５０４の押圧により、矢印Ｔ方向に回転し、搬送面７０３から離れる方向に退避する。
【００９７】
第一の搬送路において紙幣が搬送される場合には、可動搬送ガイド１００２が退避することにより、切替ゲート５０４を退避する空間である退避空間が形成される。形成された退避空間に切替ゲート５０４を退避することにより、切替ゲート５０４の案内面５０４１と、可動搬送ガイド５０９の案内面５０９１とが、第一の搬送路を形成する。
【００９８】
以上のように、可動搬送ガイド１００２は、搬送される紙幣を案内する搬送面を形成する第一の状態と、切替ゲート５０４を退避(第二の搬送路に凹部)する第二の状態とで可動である。
【００９９】
なお、可動搬送ガイド５０９と切替ゲート５０４とによる搬送路の切り替えについては第一の実施形態と同様なので、これらについては説明を省略する。
【０１００】
続いて、分岐部において、紙幣が搬送される場合の動作の詳細について説明する。
【０１０１】
図１２は、分岐部５００において、切替ゲート５０４が搬送路５３０と搬送路５３２とにより形成される第二の搬送路を選択、切替えし、搬送路５３０から搬送路５３２に紙幣が搬送される状態を示す。
【０１０２】
切替ゲート５０４は、上流側の搬送路５３０から搬送される紙幣５０３を、下流側の搬送路５３２へ振り分ける。この際、切替ゲート５０４は、図８の矢印Ｓ方向に回転、移動し、回転、移動された切替ゲート５０４は、可動搬送ガイド１００２と干渉又は当接を回避した状態となる。一方、可動搬送ガイド１００２は、バネ１００３により矢印Ｕ方向に付勢され、上側ストッパ１００４が搬送ガイド５０１の裏面に当接した状態となる。可動搬送ガイド１００２と干渉、当接を回避した切替ゲート５０４の案内面５０４２を含む搬送面７０２と、搬送ガイド５０１の裏面に当接した状態となった可動搬送ガイド１００２の案内面１００２１を含む搬送面７０２とが、第二の搬送路を形成する。
【０１０３】
紙幣５０３は、可動搬送ガイド１００２の案内面１００２１を含む搬送面７０３と、切替ゲート５０４の案内面５０４２、とにより形成される第二の搬送路の搬送面と擦れながら、搬送される方向を矢印Ａから矢印Ｃの方向に変えていくこととなる。なお、バネ５１０は、紙幣の搬送する荷重では押し戻されない程度の荷重にて付勢することにより、可動搬送ガイド１００２としての役割を果たしている。
【０１０４】
このように、可動搬送ガイド１００２を有することにより、第二の搬送路を介して切替ゲート５０４の案内面５０４２に対向する面にも、紙幣の搬送を案内する案内面１００２１により搬送面７０３を形成することが可能となる。これにより、紙幣の逸脱する余地を与えないように紙幣の進路を強制し、下流側の第二の搬送路を形成するガイド５０８において紙幣が衝突や引っかかることを防止し、分岐部５００における紙幣の搬送ジャムを抑制することができる。
【０１０５】
なお、本実施形態とは異なり可動搬送ガイド１００２を有さず、切替ゲート５０４を退避する空間のみを有する場合は、切替ゲート５０４と対向しない位置にある搬送ガイド５０１、５０８の形成する搬送面７０３と、切替ゲート５０４を退避する退避空間の底面との距離が広がり、曲がった紙幣等が搬送ガイド５０８に衝突し易くなり、また、衝突する際の衝突角が可動搬送ガイドを有するときよりも急な角度となり、安定した紙幣搬送の妨げとなる。
【０１０６】
なお、紙幣が搬送路５３２から搬送路５３０へ搬送される場合でも、切替ゲート５０４、可動搬送ガイド５０９、１００２の動作は同様である。
【０１０７】
図１３は、分岐部５００において、切替ゲート５０４が搬送路５３０と搬送路５３１とにより形成される第一の搬送路を選択、切替えし、搬送路５３０から搬送路５３１に紙幣が搬送される状態を示す。
【０１０８】
切替ゲート５０４は、上流側の搬送路５３０から搬送される紙幣５０３を、下流側の搬送路５３１へ振り分ける。この際、駆動源５１７は、切替ゲート５０４を図１３の矢印Ｒ方向に回転、移動し、回転、移動された切替ゲート５０４は、可動搬送ガイド１００２と干渉、当接し、可動搬送ガイド１００２を押圧する。バネ１００３によりＵ方向に付勢され、図１２の状態を保持していた可動搬送ガイド１００２は、切替ゲート５０４の押圧により、矢印Ｔ方向に回転し、図７の搬送面７０３から離れる方向に退避する。可動搬送ガイド１００２が退避することにより、切替ゲート５０４を退避する空間である退避空間が形成される。形成された退避空間に切替ゲート５０４を退避することにより、切替ゲート５０４、搬送ガイド５０１、５０６と、可動搬送ガイド５０９、搬送ガイド５０２、５０５とが第一の搬送路を形成する。
【０１０９】
紙幣５０３は、切替ゲート５０４の案内面５０４１を含む搬送面７０４と、可動搬送ガイド５０９の案内面５０９１を含む搬送面７０１とにより形成される搬送路５３１の搬送面と擦れながら、搬送される方向を矢印Ａから矢印Ｂの方向に変えていくこととなる。
【０１１０】
このように、可動搬送ガイド１００２が退避することにより、切替ゲート５０４が突出することなく、第一の搬送路の搬送面７０４を形成し、紙幣の進路を強制し、分岐部５００における紙幣の搬送ジャムを防止することが可能となる。
【０１１１】
なお、本実施形態とは異なり可動搬送ガイド１００２を有さず、切替ゲート５０４を退避する空間を有さない場合は、切替ゲート５０４が搬送面７０４から突出し紙幣搬送の障害となり、安定した紙幣搬送の妨げとなる。
【０１１２】
第一の実施形態、第二の実施形態により説明した可動搬送ガイドは、図３で示した切替ゲート２８１−２８３、２９１−２９５に対向する位置に配置することが可能である。
【０１１３】
例えば、複数の紙葉収納庫３１１−３１４に共通して紙幣を搬送する搬送路２７０と、共通して紙葉を搬送する搬送路２７０とそれぞれの紙幣収納庫３１１−３１４とを接続する搬送路２７１−２７４とを分岐する部分に、第一の実施形態、第二の実施形態の分岐部５００を設けてもよい。
【０１１４】
かかる構成を有することにより、紙幣収納庫に紙幣を搬送する第一の搬送路の紙幣搬送を安定することが可能となり、紙幣収納庫近辺でのジャムを抑制し、セキュリティを確保することができる。
【０１１５】
また、例えば、第一の実施形態、第二の実施形態で示した搬送ガイドは、搬送路が屈曲する屈曲部が、連続するところにある分岐部に配置するとよい。
【０１１６】
紙幣取扱装置を小型化するために、搬送路を紙幣取扱装置の空いたスペースに配置しようとすると、搬送路が屈曲部を有することがある。このような屈曲部に紙幣が到達した際には、屈曲している搬送路面に紙幣が沿うことで紙幣の搬送方向が曲がり、今まで紙幣が進行していた方向とは曲げられるため、紙幣の先端の方向が安定せず、先端が搬送ガイド内で上下に振られ、切替ゲートを有する分岐部においてジャムが発生し易くなる。
【０１１７】
特に屈曲部が連続する箇所、図３のＶ等では紙幣の先端が安定しないため、ジャムが発生し易くなるが、切替ゲート５０４とともに可動搬送ガイド５０９を有することで、紙幣の暴れを小さいうちに矯正することができ、暴れの少ない搬送つまり安定した紙幣の搬送が可能となる。
【０１１８】
第一の実施形態、第二の実施形態の可動搬送ガイドは、切替ゲートによる押圧から開放されると搬送路の搬送面を形成し、切替ゲートにより押圧されると切替ゲートの退避位置を退避する空間を形成する構成としたが、可動搬送ガイドが、搬送される紙幣を案内する搬送面位置（第一の状態ともいう）と、切替ゲートを退避する退避位置（第二の状態ともいう）を有するもの又は凹部を形成するものであれば、当該構造に限るものではない。また、切替ゲート、可動搬送ガイドは、軸を有し、回転移動する形態について示したが、平行移動する構造であっても、退避することができれば良い。
【０１１９】
例えば、可動搬送ガイドに直接駆動源を設け、切替ゲートの動作に連動させ、可動搬送ガイドの搬送面位置と退避位置とを移動させてもよい。また、可動搬送ガイドが搬送路の幅方向にスライドする構造でもよい。なお、第一の実施形態、第二の実施形態のようにバネ等の弾性体を用いて上下方向に可動搬送ガイドが移動可能な構造とすることにより、低コストで、高速に切替え動作が可能となる。
【０１２０】
また、第一の実施形態で示したように可動搬送ガイドは、切替ゲートに対向し、搬送ローラの両側にのみ設けているが、搬送路全面に設けても良いし、搬送路を介して切替ゲートに対向する全ての位置又は一部に設けても良い。なお、第一の実施形態で示したように可動搬送ガイドを、切替ゲートに対向し、搬送ローラの両側にのみ配置することにより、紙幣の搬送ジャムが特に発生し易い部分に搬送面を形成し、低コストで安定した紙幣の搬送が可能となる。
【０１２１】
紙幣を取り扱う紙幣取扱装置について説明したが、紙幣を含む紙葉を取扱う紙葉取扱装置に関するものであってもよい。
【符号の説明】
【０１２２】
１００…現金自動取引装置、１１０…カード・明細票処理部、１２０…顧客操作部、１３０…本体制御部、１４０…外部インターフェース部、１５０…係員操作部、１６０…外部記憶装置、１７０…電源部、１８０…通帳処理部、２００…紙葉取扱装置、２０２…上部紙葉機構、２０４…下部紙葉機構、２１０…入出金部、２１２…シャッタ、２２０…紙葉判別部、２３０…一時収納庫、２４０…装填回収庫、２５１-２５７,２６０,２７０-２７５…搬送路、２８１-２８３,２９１-２９５…切替ゲート、３００…金庫、３０２…開口部、３０４…連結部、３１０…リジェクト庫、３１１−３１４…紙幣収納庫、３３０…制御部、５００…分岐部、５０１、５０２…搬送ガイド、５０３…紙幣、５０４…切替ゲート、５０５−５０８…搬送ガイド、５０９…可動搬送ガイド、５１０…バネ、５１１…上側ストッパ、５１２…下側ストッパ、５１３…搬送ローラ、５１５…搬送ベルト、５１７…駆動源、５３０−５３２…搬送路、５３５…空間、７０１−７０４…搬送路の搬送面、１００２…可動搬送ガイド、１００３…バネ、１００４…上側ストッパ、１００５…下側ストッパ、５０４１、５０４２…切替ゲートの案内面、５０９１…搬送ガイドの案内面、１００２１…搬送面
【図１】
2011178474.tif 000003
【図２】
2011178474.tif 000004
【図３】
2011178474.tif 000005
【図４】
2011178474.tif 000006
【図５】
2011178474.tif 000007
【図６】
2011178474.tif 000008
【図７】
2011178474.tif 000009
【図８】
2011178474.tif 000010
【図９】
2011178474.tif 000011
【図１０】
2011178474.tif 000012
【図１１】
2011178474.tif 000013
【図１２】
2011178474.tif 000014
【図１３】
2011178474.tif 000015
【図１４】
2011178474.tif 000016
【図１５】
2011178474.tif 000017